(57)【要約】【課題】複数の画像情報をほぼ同時に高い解像度で掲示できる新規な画像表示装置及び画像表示方法を提供する。【解決手段】画像表示手段１１における複数の画像表示素子１１Ａから複数の画像情報をスイッチングして生成する。次いで、画像走査手段１２における複数の画像走査素子１２Ａ及び１２Ｂを、前記画像表示手段１１における画像情報のスイッチングと同期するようにして振動させ、前記複数の画像情報を走査して、前記複数の画像情報それぞれを空間内の異なる位置にほぼ同時に掲示する。【選択図】図２
2005084530.tif 000002
【特許請求の範囲】
【請求項１】
それぞれ所定の画像情報を表示する複数の画像表示素子を有する画像表示手段と、
前記複数の画像表示素子それぞれに対応して設けられた、複数の画像走査素子を有する画像走査手段と、
を具えることを特徴とする、画像表示装置。
【請求項２】
前記画像走査素子を固定し、前記画像情報を空間内の所定の位置に掲示するようにしたことを特徴とする、請求項１に記載の画像表示装置。
【請求項３】
前記画像走査素子は、回転自在な可動微小両面ミラーから構成され、前記画像表示走査手段は、複数の前記可動微小両面ミラーが少なくとも一次元的に配列された可動微小ミラー群から構成されたことを特徴とする、請求項２に記載の画像表示装置。
【請求項４】
隣接する前記可動微小両面ミラーは互いに対をなし、前記画像表示手段における前記画像表示素子からの画像情報は、前記一対の可動微小両面ミラーを介して走査するように構成されたことを特徴とする、請求項３に記載の画像表示装置。
【請求項５】
前記可動微小両面ミラーは、その反射面が前記画像表示素子の画像情報の表示面に対して４５度の角度となるように固定したことを特徴とする、請求項３又は４に記載の画像表示装置。
【請求項６】
前記一対の可動微小両面ミラーは、これらの反射面がそれぞれ前記画像表示素子の画像情報の表示面に対して異なる角度となるように固定し、二種類の画像情報を空間内の所定の位置に掲示するようにしたことを特徴とする、請求項４に記載の画像表示装置。
【請求項７】
前記二種類の画像情報がそれぞれ観察者の右眼及び左眼に入射するように、前記一対の可動微小両面ミラーにおける前記反射面の、前記画像表示素子の前記表示面に対する角度を固定したことを特徴とする、請求項６に記載の画像表示装置。
【請求項８】
前記画像表示手段と前記画像走査手段との間に、前記画像表示手段から出射された前記画像情報を前記画像走査手段に向けて収束させるための画像収束手段を具えることを特徴とする、請求項１〜７のいずれか一に記載の画像表示装置。
【請求項９】
前記画像収束手段は、前記画像表示手段における前記画像表示素子及び前記画像走査手段における前記画像走査素子に対応するように設けられた複数のコリメータレンズから構成されたことを特徴とする、請求項８に記載の画像表示装置。
【請求項１０】
前記画像収束手段は、前記画像表示手段における前記画像表示素子及び前記画像走査手段における前記画像走査素子に対応するように設けられたすだれコリメータから構成されたことを特徴とする、請求項８に記載の画像表示装置。
【請求項１１】
前記画像表示手段は、光センサを含むことを特徴とする、請求項１〜１０のいずれか一に記載の画像表示装置。
【請求項１２】
前記画像走査素子は、観察者の知覚時間よりも十分に小さい所定の周期で振動し、前記画像情報を空間内の所定の位置に掲示するようにしたことを特徴とする、請求項１に記載の画像表示装置。
【請求項１３】
前記画像表示素子は、複数の画像情報を発するとともに、前記複数の画像情報を観察者の知覚時間よりも十分に小さい所定の周期でスイッチングし、前記画像走査素子は、前記画像表示素子の、画像情報のスイッチング周期と同期して振動させ、前記複数の画像情報それぞれを空間内の所定の位置に掲示するようにしたことを特徴とする、請求項１２に記載の画像表示装置。
【請求項１４】
前記画像走査素子は、回転自在な可動微小両面ミラーから構成され、前記画像表示走査手段は、複数の前記可動微小両面ミラーが少なくとも一次元的に配列された可動微小ミラー群から構成されたことを特徴とする、請求項１２又は１３に記載の画像表示装置。
【請求項１５】
隣接する前記可動微小両面ミラーは互いに対をなし、前記画像表示手段における前記画像表示素子からの画像情報は、前記一対の可動微小両面ミラーを介して走査するように構成されたことを特徴とする、請求項１４に記載の画像表示装置。
【請求項１６】
前記一対の可動微小両面ミラーの、少なくとも一方を振動させることを特徴とする、請求項１５に記載の画像表示装置。
【請求項１７】
前記一対の可動微小両面ミラーを、位相が１８０度異なるようにして互いに振動させることを特徴とする、請求項１６に記載の画像表示装置。
【請求項１８】
前記一対の可動微小両面ミラーを、位相が９０度異なるようにして互いに振動させることを特徴とする、請求項１６に記載の画像表示装置。
【請求項１９】
二種類の画像情報がそれぞれ観察者の右眼及び左眼に入射するように、前記可動微小両面ミラーを振動させることを特徴とする、請求項１４〜１８のいずれか一に記載の画像表示装置。
【請求項２０】
前記画像表示手段と前記画像走査手段との間に、前記画像表示手段から出射された前記画像情報を前記画像走査手段に向けて収束させるための画像収束手段を具えることを特徴とする、請求項１２〜１９のいずれか一に記載の画像表示装置。
【請求項２１】
前記画像収束手段は、前記画像表示手段における前記画像表示素子及び前記前記画像走査手段における前記画像走査素子に対応するように設けられた複数のコリメータレンズから構成されたことを特徴とする、請求項２０に記載の画像表示装置。
【請求項２２】
前記画像収束手段は、前記画像表示手段における前記画像表示素子及び前記前記画像走査手段における前記画像走査素子に対応するように設けられたすだれコリメータから構成されたことを特徴とする、請求項２０に記載の画像表示装置。
【請求項２３】
前記画像表示手段は、光センサを含むことを特徴とする、請求項１２〜２２のいずれか一に記載の画像表示装置。
【請求項２４】
画像表示手段における複数の画像表示素子それぞれから所定の画像情報を生成する工程と、
複数の画像走査素子を有する画像走査手段により、前記画像情報を空間内の所定の位置に掲示する工程と、
を具えることを特徴とする、画像表示方法。
【請求項２５】
前記画像走査素子を固定することを特徴とする、請求項２４に記載の画像表示方法。
【請求項２６】
前記画像走査素子は、回転自在な可動微小両面ミラーから構成し、前記画像表示走査手段は、複数の前記可動微小両面ミラーが少なくとも一次元的に配列された可動微小ミラー群から構成することを特徴とする、請求項２５に記載の画像表示方法。
【請求項２７】
隣接する前記可動微小両面ミラーを対とし、前記画像表示手段における前記画像表示素子からの画像情報を、前記一対の可動微小両面ミラーを介して走査することを特徴とする、請求項２６に記載の画像表示方法。
【請求項２８】
前記可動微小両面ミラーは、その反射面が前記画像表示素子の画像情報の表示面に対して４５度の角度となるように固定することを特徴とする、請求項２６又は２７に記載の画像表示装置。
【請求項２９】
前記一対の可動微小両面ミラーは、これらの反射面がそれぞれ前記画像表示素子の画像情報の表示面に対して異なる角度となるように固定し、二種類の画像情報を空間内の所定の位置に掲示することを特徴とする、請求項２７に記載の画像表示方法。
【請求項３０】
前記二種類の画像情報がそれぞれ観察者の右眼及び左眼に入射するように、前記一対の可動微小両面ミラーにおける前記反射面の、前記画像表示素子の前記表示面に対する角度を固定することを特徴とする、請求項２９に記載の画像表示方法。
【請求項３１】
前記画像表示手段と前記画像走査手段との間に設けられた画像収束手段により、前記画像表示手段から出射された前記画像情報を前記画像走査手段に向けて収束させる工程を具えることを特徴とする、請求項２４〜３０のいずれか一に記載の画像表示方法。
【請求項３２】
前記画像収束手段は、前記画像表示手段における前記画像表示素子及び前記画像走査手段における前記画像走査素子に対応するように設けられた複数のコリメータレンズから構成することを特徴とする、請求項３１に記載の画像表示方法。
【請求項３３】
前記画像収束手段は、前記画像表示手段における前記画像表示素子及び前記画像走査手段における前記画像走査素子に対応するように設けられたすだれコリメータから構成することを特徴とする、請求項３１に記載の画像表示方法。
【請求項３４】
前記画像表示手段は光センサを含み、観察者の位置を特定する工程を具えることを特徴とする、請求項２４〜３３のいずれか一に記載の画像表示方法。
【請求項３５】
前記画像走査素子は、観察者の知覚時間よりも十分に小さい所定の周期で振動し、前記画像情報を空間内の所定の位置に掲示するようにすることを特徴とする、請求項２４に記載の画像表示方法。
【請求項３６】
前記画像表示素子は、複数の画像情報を発するとともに、前記複数の画像情報を観察者の知覚時間よりも十分に小さい所定の周期でスイッチングし、前記画像走査素子は、前記画像表示素子の、画像情報のスイッチング周期と同期して振動させ、前記複数の画像情報それぞれを空間内の所定の位置に掲示することを特徴とする、請求項３５に記載の画像表示方法。
【請求項３７】
前記画像走査素子は、回転自在な可動微小両面ミラーから構成し、前記画像表示走査手段は、複数の前記可動微小両面ミラーが少なくとも一次元的に配列された可動微小ミラー群から構成することを特徴とする、請求項３５又は３６に記載の画像表示方法。
【請求項３８】
隣接する前記可動微小両面ミラーを対とし、前記画像表示手段における前記画像表示素子からの画像情報は、前記一対の可動微小両面ミラーを介して走査することを特徴とする、請求項３７に記載の画像表示方法。
【請求項３９】
前記一対の可動微小両面ミラーの、少なくとも一方を振動させることを特徴とする、請求項３８に記載の画像表示方法。
【請求項４０】
前記一対の可動微小両面ミラーを、位相が１８０度異なるようにして互いに振動させることを特徴とする、請求項３９に記載の画像表示方法。
【請求項４１】
前記一対の可動微小両面ミラーを、位相が９０度異なるようにして互いに振動させることを特徴とする、請求項３９に記載の画像表示方法。
【請求項４２】
二種類の画像情報がそれぞれ観察者の右眼及び左眼に入射するように、前記可動微小両面ミラーを振動させることを特徴とする、請求項３７〜４１のいずれか一に記載の画像表示方法。
【請求項４３】
前記画像表示手段と前記画像走査手段との間に設けられた画像収束手段により、前記画像表示手段から出射された前記画像情報を前記画像走査手段に向けて収束させる工程を具えることを特徴とする、請求項３５〜４２のいずれか一に記載の画像表示方法。
【請求項４４】
前記画像収束手段は、前記画像表示手段における前記画像表示素子及び前記前記画像走査手段における前記画像走査素子に対応するように設けられた複数のコリメータレンズから構成することを特徴とする、請求項４３に記載の画像表示方法。
【請求項４５】
前記画像収束手段は、前記画像表示手段における前記画像表示素子及び前記前記画像走査手段における前記画像走査素子に対応するように設けられたすだれコリメータから構成することを特徴とする、請求項４３に記載の画像表示方法。
【請求項４６】
前記画像表示手段は光センサを含み、観察者の位置を特定する工程を具えることを特徴とする、請求項３５〜４５のいずれか一に記載の画像表示装方法。
【発明の詳細な説明】
【技術分野】
【０００１】
本発明は、画像表示装置及び画像表示方法に関する。
【従来の技術】
【０００２】
複数の画像情報を同時に提示するためには、前記複数の画像情報の数に応じて画像表示装置内の画素を分割し、各画像情報を割り当てられた画素で表示する。このため、各画像情報に対するデータ量が減少して解像度が劣化してしまうという問題があった。一方で、各画像情報の解像度を向上させようとする場合、画像情報毎に占有する画素数を増大させなければならず、この結果、掲示できる画像情報の数が限られてしまうという問題があった。
【０００３】
一方で、レンズアレイと開口制御部（スリット等）とを組み合わせ、そのどちらかを機械的に振動させる方法が提案されている（特開平9−304850号公報）。この場合、レンズアレイと開口制御部との相対的な位置関係によって、画像情報の指向性を変化させることができるので、空間内の任意の位置に異なる画像情報を掲示できることが期待された。
【０００４】
しかしながら、レンズアレイや開口制御部全体を機械的に振動させるのでその振動幅が大きくなり、得ようとする画像表示装置はその振動幅を考慮して作製しなければならないので、装置全体が大型化してしまうという問題があった。また、レンズアレイや開口制御部は比較的大型であるため、これらを高速で振動させることはできず、異なる複数の画像情報を空間内の異なる位置にほぼ同時に掲示することはできなかった。
【０００５】
以上のように、現状においては、複数の画像情報をほぼ同時に高い解像度で掲示できる方法及び装置は見出されていない。
【発明の開示】
【発明が解決しようとする課題】
【０００６】
本発明は、複数の画像情報をほぼ同時に高い解像度で掲示できる新規な画像表示装置及び画像表示方法を提供することを目的とする。
【課題を解決するための手段】
【０００７】
上記目的を達成すべく、本発明は、
それぞれ所定の画像情報を表示する複数の画像表示素子を有する画像表示手段と、
前記複数の画像表示素子それぞれに対応して設けられた、複数の画像走査素子を有する画像走査手段と、
を具えることを特徴とする、画像表示装置に関する。
【０００８】
また、本発明は、
画像表示手段における複数の画像表示素子それぞれから所定の画像情報を生成する工程と、
複数の画像走査素子を有する画像走査手段により、前記画像情報を空間内の所定の位置に掲示する工程と、
を具えることを特徴とする、画像表示方法に関する。
【０００９】
本発明によれば、画像表示手段における複数の画像表示素子それぞれと対応するように複数の画像走査素子を有する画像走査手段を準備し、前記複数の画像表示素子から生成した所定の画像情報を前記複数の画像走査素子で走査し、空間内の所定の位置に掲示するようにしている。したがって、前記画像表示手段をスイッチングし、前記画像表示手段から複数の相異なる画像情報を生成させた場合においても、前記画像走査手段を駆動させ、前記複数の画像情報それぞれを異なるように走査すれば、前記複数の画像情報を空間内の異なる位置に掲示できるようになる。
【００１０】
また、前記画像走査手段における実際の画像情報走査は、前記画像走査手段に設けられた画像走査素子によって行われ、前記画像走査素子は前記画像表示手段における画像表示素子に対応するように設けられた微小なものであるので、上述したような画像情報の走査においても、走査距離を十分に小さくでき、また走査速度も極めて高くすることができるようになる。したがって、前記画像表示素子の十分小さい走査距離に起因して、画像表示装置全体の大きさを低減できるとともに、前記画像表示素子の十分高い走査速度に起因して、前記複数の画像情報を空間内の異なる位置にほぼ同時に掲示することができるようになる。
【００１１】
さらに、前記複数の画像情報は、前記画像表示手段のスイッチングによって生成しているので、各画像情報の解像度は前記画像表示手段における前記画像表示素子数で決定される。すなわち、複数の画像情報を同時に掲示させる場合においても、それぞれの画像情報は前記画像表示手段の画素数に応じて決定されるようになるので、画像情報を増加させたことによって画像情報毎の占有画素数の低下、さらには、占有画素数の低下に伴う画像情報毎の解像度の低下を抑制することができる。
【００１２】
このように、本発明によれば、前記画像走査手段における走査態様を種々変化させ、画像情報の種類に応じて空間内の異なる位置に掲示するようにしているので、極めて多数の画像情報をほぼ同時に掲示することができるようになる。
【００１３】
なお、観察者が観察位置を変えることにより、前記観察者は上述した複数の画像情報を認知することができる。
【００１４】
また、観察者の右眼及び左眼にそれぞれ異なる画像情報が入射するようにすれば、前記観察者にとっては立体的な画像を得ることができるようになる。
【００１５】
但し、本発明においては、前記画像表示手段で単一の画像情報を生成し、前記画像走査手段を駆動させることなく固定し、単一の画像を固定した状態で掲示することもできる。この場合、本発明の画像表示装置は、液晶ディスプレイなどの通常の画像表示装置として機能する。
本発明のその他の特徴及び利点については、以下の発明の実施の形態で詳述する。
【発明の効果】
【００１６】
以上説明したように、本発明によれば、複数の画像情報をほぼ同時に高い解像度で掲示できる新規な画像表示装置及び画像表示方法を提供することができる。
【発明を実施するための最良の形態】
【００１７】
図１は、本発明の画像表示装置の一例を示す断面図である。図１に示す画像表示装置１０は、複数の画像表示素子１１Ａから構成される画像表示手段１１と、二次元的に配列された、回転自在な複数の可動微小両面ミラー１２Ａ及び１２Ｂから構成される画像走査手段１２とを有している。画像表示素子１１Ａは、所定の画像情報を生成するための光源などから構成されている。なお、各画像表示素子１１Ａ及び可動微小両面ミラー１２Ａ又は１２Ｂは、互いに対向するようにして配置されている。また、可動微小両面ミラー１２Ａ及び１２Ｂは対をなし、互いに密接に関連して駆動するように構成されている。
【００１８】
また、画像表示手段１１と画像走査手段１２との間には、複数のコリメータレンズ１４Ａから構成される画像収束手段としてのコリメータレンズアレイ１４と、スリット１３Ａが形成されたスリット板１３が設けられている。スリット板１３におけるスリット１３Ａによって、画像表示素子１１Ａから生成された所定の画像情報は指向性を有するようになり、次いで、コリメータレンズアレイ１４によって、拡散することなく収束されるようになる。
【００１９】
図２は、図１に示す画像表示装置の駆動方法の一例を示す説明図である。但し、図２においては、簡単のために、コリメータレンズアレイ及びスリット板は省略している。本例においては、互いに対をなす可動微小両面ミラー１２Ａ及び１２Ｂの内、ミラーＡを画像表示素子１１Ａの表示面に対して角度θで固定し、ミラー１２Ｂを角度±δで振動させる。
【００２０】
図２に示すように、画像表示素子１１Ａで生成された画像情報は可動微小両面ミラー１２Ａ及び１２Ｂで反射された後、空間内の任意の位置に走査されて掲示されるようになるが、図２（ａ）〜（ｃ）に示すように、可動微小両面ミラー１２Ｂが振れ角±δで振動すると、ミラー１２Ａ及び１２Ｂで反射された画像情報は振れ角±２δで振動するようになる。
【００２１】
したがって、画像表示素子１１Ａにおける画像情報のスイッチングを可動微小両面ミラー１２Ｂの振動周期と同期させて行うようにすることにより、振れ角＋δ及び−δそれぞれの場合において異なる画像情報を生成するようにすることができる。この結果、振れ角＋２δ及び−２δの位置に異なる画像情報を掲示できるようになる。また、可動微小両面ミラー１２Ｂの振動周期を減少させ、観察者の知覚時間よりも十分に小さくすることができれば、結果として、空間内の異なる位置にほぼ同時に異なる画像情報を掲示できるようになる。
【００２２】
また、振れ角＋２δ及び−２δの位置に対応した異なる画像情報を観察者の右眼及び左眼に入射するようにすれば、前記観察者は二眼式の立体画像を得ることができ、図１に示す画像表示装置は立体画像表示装置として機能するようになる。
【００２３】
なお、振れ角＋２δ及び−２δ以外の振れ角の位置、例えば振れ角＋δ及び−δの位置に対応させて異なる画像情報を掲示するようにすることもできる。また、例えば振れ角＋２δ、−２δ＋δ及び−δの位置に対応させて４つの異なる画像情報を生成し、掲示するようにすることもできる。さらに、その他の振れ角に対して異なる画像情報を生成し、掲示するようにすることもできる。
【００２４】
このように図１に示す画像表示装置１０を用いた画像表示方法においては、画像表示素子１１Ａにおける画像情報のスイッチングを可動微小両面ミラー１２Ｂの振動周期と同期させ、前記振動周期を観察者の知覚時間よりも十分に小さくし、さらに可動微小両面ミラー１２Ｂの振れ角位置に対応するように画像情報を生成するようにすることにより、前記振れ角位置に対応した空間内の異なる位置に複数の異なる画像情報を掲示できるようになる。
【００２５】
また、３以上の画像情報を掲示する場合、その内の２つの画像情報を観察者の右眼及び左眼に入射するようにすることによって、多眼式の立体画像を得ることができるようになる。
【００２６】
図３は、図１に示す画像表示装置の駆動方法の他の例を示す説明図である。但し、図３においては、簡単のために、コリメータレンズアレイ及びスリット板は省略している。本例においては、互いに対をなす可動微小両面ミラー１２Ａ及び１２Ｂを、画像表示素子１１Ａの表示面に対する角度θからそれぞれ角度±δで振動させる。但し、ミラーＡ及びＢは、位相が１８０度異なる、すなわち互いに逆方向に振動させる。
【００２７】
この場合においても、画像表示素子１１Ａで生成された画像情報は可動微小両面ミラー１２Ａ及び１２Ｂで反射された後、空間内の任意の位置に走査されて掲示されるようになるが、図３（ａ）〜（ｃ）に示すように、可動微小両面ミラー１２Ａ及び１２Ｂが振れ角±δで振動すると、ミラー１２Ａ及び１２Ｂで反射された画像情報は振れ角±４δで振動するようになる。すなわち、可動微小両面ミラー１２Ａを固定させて、可動微小両面ミラー１２Ｂを振動させた場合と比較して、画像情報の振れ角を２倍にすることができる。
【００２８】
したがって、振れ角に対応させて空間内の所望する位置に異なる画像情報を掲示する場合に、可動微小両面ミラー１２Ａ及び１２Ｂの振れ角を半分にすることができる。この結果、可動微小両面ミラー１２Ａ及び１２Ｂをより高速で振動させることができ、ちらつきなどを抑制して高解像度の複数の画像情報をほぼ同時に掲示することができる。
【００２９】
なお、図２で説明したように、図３に示す方法においても３以上の画像情報を掲示することは可能であり、立体画像を得ることも可能である。
【００３０】
図４は、図１に示す画像表示装置の駆動方法のその他の例を示す説明図である。但し、図４においては、簡単のために、マイクロレンズアレイ及びスリット板は省略している。本例においては、互いに対をなす可動微小両面ミラー１２Ａ及び１２Ｂを、画像表示素子１１Ａの表示面に対する角度θからそれぞれ角度±δで振動させる。但し、ミラーＡ及びＢは、位相が９０度異なるようにして振動させる。
【００３１】
この場合においても、画像表示素子１１Ａで生成された画像情報は可動微小両面ミラー１２Ａ及び１２Ｂで反射された後、空間内の任意の位置に走査されて掲示されるようになるが、図４に示すように、図４（ａ）及び図４（ｂ）間、並びに図４（ｃ）及び図４（ｄ）間では、画像情報の方向が角度δの振動、すなわち１／４周期の振動に伴って垂直方向から左右に切り替わっている。
【００３２】
一方、図４（ａ）及び図４（ｄ）間、並びに図４（ｂ）及び図４（ｃ）間では、角度δの振動、すなわち１／４周期の振動によっても画像情報の方向が切り替わることなく、垂直方向から左右いずれかの方向に向いている。結果として、本例では特定の画像情報を長時間表示できるとともに、画像表示の切り替えを高速で行うことができるようになる。図４に示す画像表示方法は、上述したような立体画像表示方法として好適に用いることができる。
【００３３】
図５及び図６は、図１に示す画像表示装置の駆動方法におけるさらに他の例を示す説明図である。
【００３４】
上述した具体例においては、画像表示手段１１における画像表示素子１１Ａで生成される画像情報をスイッチングし、このスイッチングと同期させるようにして画像走査手段１２における可動微小両面ミラー１２Ａ及び１２Ｂを振動させ、複数の画像情報を走査して空間内の異なる位置にほぼ同時に掲示するようにしている。
【００３５】
しかしながら、図５に示すように、可動微小両面ミラー１２Ａ及び１２Ｂを、画像表示素子１１Ａの表示面に対して角度θで固定し、画像表示手段１１からの画像情報をそのまま垂直方向に出射させることもできる。この場合、図１に示す画像表示装置１０は、通常の二次元情報を掲示する液晶ディスプレイなどの画像表示装置として機能する。
【００３６】
なお、角度θを４５度とすれば、画像情報の出力（光量）を最大とすることができる。
【００３７】
また、図６に示すように、可動微小両面ミラー１２Ａ及び１２Ｂを角度δだけ異なるようにして固定すれば、ミラー１２Ａ及び１２Ｂによってそれぞれ異なる方向に画像情報が出射されるようにすることができる。具体的には、図６に示すように、垂直方向から左右に角度２δだけシフトした方向に画像情報を出射することができるようになる。したがって、画像情報の出射方向に対応させて、異なる画像情報を生成するようにすれば、空間内の異なる位置に同時に複数の画像情報を掲示できるようになる。
【００３８】
さらに、上述したように、前記複数の画像情報それぞれを観察者の右眼及び左眼に入射するようにすれば、前記観察者は立体的な画像情報を得ることができ、図１に示す画像表示装置１０は立体画像表示装置として機能するようになる。
【００３９】
図７は、図１に示す画像表示装置の変形例を示す断面図である。図７に示す画像表示装置２０においては、コリメータレンズアレイ及びスリット板の代わりにすだれコリメータ１５を具えている。このようなすだれコリメータ１５によっても、画像表示素子１１Ａからの画像情報を可動微小両面ミラー１２Ａ及び１２Ｂに向けて収束させることができ、画像収束手段として機能することができる。
【００４０】
なお、図１及び図２に示す画像表示装置１０及び２０は、いずれも光センサを含むことができる。これによって、観察者の位置などを検知することができるようになり、前記観察者の位置に対応させて所定の画像情報を簡易に掲示できるようになる。光センサは、画像表示手段１１やコリメータレンズアレイ１４などに固定して設けることができる。
【００４１】
以上、具体例を挙げながら発明の実施の形態に基づいて本発明を詳細に説明してきたが、本発明は上記内容に限定されるものではなく、本発明の範疇を逸脱しない限りにおいてあらゆる変形や変更が可能である。
【図面の簡単な説明】
【００４２】
【図１】本発明の画像表示装置の一例を示す断面図である。
【図２】図１に示す画像表示装置の駆動方法の一例を示す説明図である。
【図３】図１に示す画像表示装置の駆動方法の他の例を示す説明図である。
【図４】図１に示す画像表示装置の駆動方法のその他の例を示す説明図である。
【図５】図１に示す画像表示装置の駆動方法のさらに他の例を示す説明図である。
【図６】図１に示す画像表示装置の駆動方法の他の例を示す説明図である。
【図７】図１に示す画像表示装置の変形例を示す断面図である。
【符号の説明】
【００４３】
１０、２０  画像表示装置
１１  画像表示手段
１１Ａ  画像表示素子
１２  画像走査手段
１２Ａ、１２Ｂ  可動微小両面ミラー
１３  スリット板
１３Ａ  スリット
１４  コリメータレンズアレイ
１４Ａ  コリメータレンズ
１５  すだれコリメータ
【図１】
2005084530.tif 000003
【図２】
2005084530.tif 000004
【図３】
2005084530.tif 000005
【図４】
2005084530.tif 000006
【図５】
2005084530.tif 000007
【図６】
2005084530.tif 000008
【図７】
2005084530.tif 000009